(57)【要約】【課題】組み付け作業の容易化及び装置の小型化を図ることができる電気器具用昇降装置を提供する点にある。【解決手段】天井内に配置した駆動回転可能な駆動回転体１４に巻き取り自在な可撓性部材１５の一端を連結し、かつ、可撓性部材１５の他端を電気器具１に連結し、駆動回転体１４により可撓性部材１５を巻き取ることにより電気器具１を上昇させて天井内に収納する収納姿勢と巻き取られた可撓性部材１５を駆動回転体１４にて送り出すことにより電気器具１を天井面よりも下方に位置させた使用姿勢とに昇降自在に構成した。【選択図】      図２
2004219593.tif 000002
【特許請求の範囲】
【請求項１】
天井内又は天井に配置した駆動回転可能な駆動回転体に巻き取り自在な可撓性部材の一端を連結し、かつ、該可撓性部材の他端を電気器具に連結し、前記駆動回転体により可撓性部材を巻き取ることにより前記電気器具を上昇させて前記天井内に収納する、又は天井面側に寄せて位置させた収納姿勢と該巻き取られた可撓性部材を該駆動回転体にて送り出すことにより該電気器具を下降させて天井面よりも下方に位置させた使用姿勢とに昇降自在に構成してなる電気器具用昇降装置。
【請求項２】
前記電気器具の昇降時において該電気器具を移動案内するための案内手段を設けてなる請求項１記載の電気器具用昇降装置。
【請求項３】
前記可撓性部材が、スクリーンであり、このスクリーンと、該スクリーンを巻き取るために円筒状に構成された前記駆動回転体と、その駆動回転体を回動操作するために該駆動回転体の内部に配置した電動モータとからなる電動スクリーンを用いてなる請求項１又は２記載の電気器具用昇降装置。
【請求項４】
前記電気器具が、プロジェクター、プラズマディスプレイ、液晶ディスプレイ等の映像機器である請求項１〜３のいずれかに記載の電気器具用昇降装置。
【発明の詳細な説明】
【０００１】
【発明の属する技術分野】
本発明は、電気器具を使用しない場合（不要時）には、邪魔にならないように天井内に収納したり、できる限り邪魔にならないように天井面に寄せた上部位置に位置させることができ、又、電気器具を使用する場合には、天井内又は天井面に寄せた位置から下降させて使用することができるように構成してなる電気器具用昇降装置に関する。
【０００２】
【従来の技術】
上記電気器具用昇降装置としてプロジェクター用昇降装置を例にとって説明すれば、天井内の上部に固定されたプロジェクター取付板と、この取付板に連結固定されると共にプロジェクターの上面に設けられた連結部と、天井内の上部に固定された２個の固定滑車及び２個の案内滑車と、前記連結部の左右両側に取り付けられた２個の遊動滑車と、前記固定滑車、案内滑車、遊動滑車に順次巻回され天井内の上部に設けられた巻き取り手段に巻き取り自在に連結された１本の糸条とから、プロジェクター用昇降装置を構成したものが既に提案されている（例えば特許文献１参照。）。
【０００３】
【特許文献１】
実開平５−７００７８号公報（図４）
【０００４】
【発明が解決しようとする課題】
上記特許文献１によれば、プロジェクターの昇降をスムーズに行わせるためには、多数の滑車を必要とするため、コスト面及び組み付け作業面において不利になるだけでなく、それら多数の滑車を配設するための大きなスペースを必要とし、装置全体が大型化してしまう不都合があった。
また、多数の滑車に渡って糸条を巻回する作業が非常に手間のかかる煩わしい作業であり、組み付け作業効率が更に低下するものであった。
【０００５】
本発明が前述の状況に鑑み、解決しようとするところは、組み付け作業の容易化及び装置の小型化を図ることができる電気器具用昇降装置を提供する点にある。
【０００６】
【課題を解決するための手段】
本発明の電気器具用昇降装置は、前述の課題解決のために、天井内又は天井に配置した駆動回転可能な駆動回転体に巻き取り自在な可撓性部材の一端を連結し、かつ、該可撓性部材の他端を電気器具に連結し、前記駆動回転体により可撓性部材を巻き取ることにより前記電気器具を上昇させて前記天井内に収納する、又は天井面側に寄せて位置させた収納姿勢と該巻き取られた可撓性部材を該駆動回転体にて送り出すことにより該電気器具を下降させて天井面よりも下方に位置させた使用姿勢とに昇降自在に構成している。
従って、天井内又は天井に取り付けた駆動回転体を正逆方向にそれぞれ回転させることによって、可撓性部材を送り出したり、巻き取ったりして電気器具を使用姿勢と収納姿勢とに姿勢変更することができる。前記収納姿勢は、電気器具を天井内に完全に入り込んだ状態にする場合が邪魔にならず好ましいが、多少邪魔になるが、天井内に電気器具の一部が入り込んだ状態（換言すれば、電気器具の残りの部分が天井面から下方に突出している状態）、又はかなり邪魔になるが、電気器具が天井内に全く入らず天井面側に電気器具の上端を寄せた位置であっても構わない。
【０００７】
電気器具の昇降時において該電気器具を移動案内するための案内手段を設けることによって、電気器具を所定姿勢に維持させた状態で安定良く昇降させることができる。
【０００８】
前記可撓性部材が、スクリーンであり、このスクリーンと、該スクリーンを巻き取るために円筒状に構成された前記駆動回転体と、その駆動回転体を回動操作するために該駆動回転体の内部に配置した電動モータとからなる電動スクリーンを用いている。
上記構成の電動スクリーン、つまり電動モータが内蔵された駆動回転体を用いることによって、駆動回転体を収納することができるスペースのみを天井内に確保するだけで済むから、装置全体の小型化を十分に図ることができるだけでなく、電動スクリーンを取り付けると共にその電動スクリーンに対する電源配線を行うだけで、電気器具を昇降させる駆動側の設置を完了することができる。
【０００９】
前記電気器具が、プロジェクター、プラズマディスプレイ、液晶ディスプレイ等の映像機器である場合が特に好ましい。
【００１０】
【発明の実施の形態】
図１〜図３に、電気器具、つまり映像器具の一例であるプロジェクター１を昇降させるためのプロジェクター用昇降装置（以下、昇降装置と言う）が示されている。この昇降装置は、天井内の上部に固定される固定側支持体２と、この固定側支持体２に対して昇降自在に取り付けられ、かつ、前記プロジェクター１を取り付け支持するための可動側支持体３と、この可動側支持体３を昇降操作するために該可動側支持体３と前記固定側支持体２とに渡って配設された電動スクリーン４とを主要構成部材としている。図１及び図２に示す５は、天井である。前記プロジェクター１に代えて、プラズマディスプレイや液晶ディスプレイあるいはＣＲＴディスプレイなどの重量のある映像器具の他、振動などに弱い精密機器や音響機器（オーディオ機器を含む）を昇降させる場合に特に有効な昇降装置であるが、その他の電気器具であってもよい。前記昇降装置を天井５内に完全に入り込んだ状態で備えさせることによって、邪魔にならないだけでなく、見栄えもよくできる利点があるが、天井５に昇降装置を取り付けて、天井面から直下方に昇降装置が位置する状態で設けて実施することもできる。
【００１１】
前記固定側支持体２は、図４及び図５に示すように、前後端がそれぞれ９０度折り曲げられて平面視ほぼコの字状に形成された左右一対の左右フレーム６，６と、これら左右フレーム６，６の前端同士又は後端同士を左右方向でボルト（溶接でもよい）Ｂ１等により連結固定される側面視においてほぼ逆Ｌ字状の前後一対の前後フレーム７，７とからなっている。前記各左右フレーム６の前後方向ほぼ中央箇所から下方に延びる所定幅を有する縦板部８を備えており、この縦板部８の内面に該縦板部８から左右フレーム６に渡る上下長さを有する後述のガイドレール１８を固定している。尚、前記前後一対の前後フレーム７，７の水平板部７Ａ，７Ａが天井内の上部に図示していないボルト及びナットを介して固定されることになる。
【００１２】
前記可動側支持体３は、図４及び図５に示すように、下面側に前記プロジェクター１が取り付けられるプレート板９と、このプレート板９の左右端のそれぞれにボルト止めされた補強板１０とからなっている。前記各補強板１０の前後端それぞれに、昇降可能な天井パネル１１（図１及び図２参照）を吊り下げ支持するための吊りボルト１２を貫通するための左右方向に長い長孔１０Ａを形成し、天井パネル１１の上端のうちの角部４箇所それぞれに下端が連結された４本の吊りボルト１２の上端を、左右一対の補強板１０，１０の長孔１０Ａ，１０Ａ、１０Ａ，１０Ａにそれぞれ貫通した後、吊りボルト１２の上方からナット１３を螺合することにより補強板１０と吊りボルト１２とを連結している。
【００１３】
前記電動スクリーン４は、図４及び図５に示すように、前記左右フレーム６，６間に駆動回転可能に架設された円筒状の駆動回転体１４と、この駆動回転体１４に巻き取り自在に一端が連結されると共に他端がプロジェクター１側に連結された可撓性部材としての合成樹脂製のスクリーン（暗幕とも言う）１５と、前記駆動回転体１４の内部に備えさせた電動モータ１６とからなり、前記電動モータ１６の駆動軸１６Ａの先端に一体回転状態に取り付けられた円盤体１７に形成の凹部１７Ａに前記駆動回転体１４の内面に内面側に突出形成された凸部１４Ａが係止していることから、電動モータ１６を駆動することによって、駆動回転体１４を一方向に回転させることで、スクリーン１５を繰り出してプロジェクター１を天井内から下方の所定位置まで下降させて天井面よりも下方に位置させた使用姿勢にすることができ、これとは反対の他方向に駆動回転体１４を回転させることでスクリーン１５を巻き取ってプロジェクター１を上昇させて天井内に収納した収納姿勢にすることができるようにしている。前記スクリーン１５のプロジェクター１側端部は、円筒状の棒状体（パイプ）２８に接着剤などにより固定され、その棒状体２８の左右両端のそれぞれが前記プレート板９を貫通するボルトＢ２に貫通され、ボルトＢ２の先端にナットＮ１を螺合させて固定されている。尚、図５に示すＮ２は、プレート板９と棒状体２８との間に所定の間隔を保持するためのナットである。又、図５に示す２９は、後述のスライダー（図示せず）に一体化された板部材であり、後述のガイドレール１８に対して上下動自在に構成され、それら板部材２９，２９を前記縦板部１０Ｈ，１０Ｈの内面にビス止めされている。又、前記スクリーン１５は、合成樹脂で構成する他、ガラス繊維を編み込んだものや布あるいは紙等、駆動回転体１４にて巻き取ることができる可撓性を有すると共にプロジェクター１の昇降時に伸びがない（又は一次的に少し伸びてプロジェクター１の上昇位置及び下降位置では元に戻るものでもよい）、しかも容易にちぎれない材質の（耐久性のある）ものであれば、どのような材料で構成してもよい。また、ここでは、天井の内部にプロジェクター１を完全に収納することによって、邪魔にならない最適な状態を示しているが、天井の内部にプロジェクター１の一部が入り込んだ状態や天井の内部に全く入り込まない状態、つまり天井面側にプロジェクター１の上端が近接する位置に位置させた状態を収納姿勢としてもよい。前記のように天井の内部にプロジェクター１の一部が入り込んだ状態やプロジェクター１が天井の内部に全く入り込まない状態で実施する場合には、天井パネル１１やこの天井パネル１１を吊り下げる４本の吊りボルト１２を省略して実施することもできる。
【００１４】
図４及び図５に示すように、前記プロジェクター１の昇降時において該プロジェクター１を移動案内するための案内手段を設けている。この案内手段は、可動側支持体３を構成する前記補強板１０，１０の前後方向ほぼ中央で、かつ、左右方向内側箇所に折り曲げによって上下方向に立設された縦板部１０Ｈ，１０Ｈの外面側にビスにより固定された前記板部材２９に一体化されているスライダー（図示せず）と、これらスライダーに係合してスライダーと共にプロジェクター１を上下方向にスムーズに移動案内させるためのガイドレール１８，１８とから構成されている。従って、可動側支持体３の昇降時や空調機の風により可動側支持体３に支持されるプロジェクター１が前後方向及び左右方向に振れる（揺れる）ことがないようにしている。前記左右一対のガイドレール１８，１８のうちの一方のガイドレール１８を省略する、又は場合によってはそれらガイドレール１８，１８が全くない状態で実施してもよい。尚、前記ガイドレール１８，１８は、前記左右フレーム６，６の前後方向ほぼ中央箇所でかつ外面側に上下（縦）方向に沿って固定された縦フレーム１９に形成されたねじ孔１９Ａを利用してねじ止めされている。又、前記各補強板１０には、前記縦板部８及び縦フレーム１９を逃がすための貫通孔１０Ｋが形成されている。又、図５に示すように、前記ガイドレール１８，１８の下端のそれぞれに、前記補強板１０を受け止めて該補強板１０の下降位置を規制するための板状の落下防止金具３０をビスＢ３にて取り付けている。
【００１５】
前記可動側支持体３を構成するプレート板９の下端に前記プロジェクター１の上端が、角度調節金具（左右方向及び前後方向のプロジェクター１の角度を調節することができる）２０を介して連結されているが、角度調節の行えない金具で連結してもよい。
【００１６】
【発明の効果】
請求項１の発明によれば、天井内又は天井に設けた駆動回転体を正逆方向のそれぞれに回転させることによって、可撓性部材を送り出したり、巻き取ったりしてプロジェクターを使用姿勢と収納姿勢とに姿勢変更することができるから、昇降装置全体の小型化を図ることができ、いままで天井内の空間の大きさによっては設置が不可能であった場合でも、昇降装置の設置が可能になるだけでなく、取扱面においても有利になり、天井内への設置がし易い有益な電気器具用昇降装置を提供することができるだけでなく、組み付け作業効率を飛躍的に向上させることができる利点がある。
【００１７】
請求項２の発明によれば、電気器具の昇降時において電気器具を移動案内するための案内手段を設けることによって、電気器具を所定姿勢に維持させた状態で安定良く昇降させることができるから、昇降時に電気器具に振動を与えることがなく、振動の影響を受けて電気器具が作動不良や故障するなどのトラブル発生を回避することができ、電気器具の耐久性の向上は勿論のこと昇降装置の耐久性の向上をも同時に図ることができる利点がある。
【００１８】
請求項３の発明によれば、電動スクリーン、つまり電動モータが内蔵された駆動回転体を用いることによって、駆動回転体を収納することができるスペースのみを天井内に確保するだけで済むから、装置全体の小型化を十分に図ることができるだけでなく、駆動回転体とそれに対する駆動源（電動モータ）とを組み付ける作業を不要にすることができる。従って、電動スクリーンを取り付けると共にその電動スクリーンに対する電源配線を行うだけで、電気器具を昇降させる駆動側の設置を完了することができ、装置の小型化及び組み付け作業の効率化をより一層図ることができる。
【図面の簡単な説明】
【図１】プロジェクターを収納姿勢にした昇降装置の正面図である。
【図２】プロジェクターを使用姿勢にした昇降装置の正面図である。
【図３】昇降装置の側面図である。
【図４】昇降装置の上部を示す斜視図である。
【図５】昇降装置の上部を示す分解斜視図である。
【符号の説明】
１  プロジェクター    ２  固定側支持体
３  可動側支持体      ４  電動スクリーン
５  天井              ６  左右フレーム
７  前後フレーム      ８  縦板部
９  プレート板        １０  補強板
１０Ｋ  貫通孔        １０Ｈ  縦板部
１０Ａ  長孔          １１  天井パネル
１２  ボルト          １３  ナット
１４  駆動回転体      ７Ａ  水平板部
１４Ａ  凸部          １５  スクリーン
１６Ａ  駆動軸        １６  電動モータ
１７  円盤体          １７Ａ  凹部
１８  ガイドレール    １９Ａ  孔
１９  縦フレーム      ２０  角度調節金具
２８  棒状体          ２９  板部材
３０  落下防止金具    Ｂ２，Ｂ３  ボルト
Ｎ１  ナット
【図１】
2004219593.tif 000003
【図２】
2004219593.tif 000004
【図３】
2004219593.tif 000005
【図４】
2004219593.tif 000006
【図５】
2004219593.tif 000007